(57)【要約】  本発明は、物質遮断性の金属層と熱融着性の第１樹脂層を含むラミネートシートの電池セルケースに電極組立体が内蔵されており、前記電極組立体の電極タブが電極端子としての電極リードに接続された状態で、前記電極リードが電池セルケースの外部に突出しており、前記第１樹脂層の熱融着により電池セルケースの外周面が密封されており、前記第１樹脂層と同じ素材のフィルム部材が電極タブと電極リードの接続部位を覆っていることを特徴とするパウチ型電池セルを提供する。
2016529683.tif 000002
【特許請求の範囲】
【請求項１】
物質遮断性の金属層と熱融着性の第１樹脂層を含むラミネートシートの電池セルケースに電極組立体が内蔵されており、
前記電極組立体の電極タブが電極端子としての電極リードに接続された状態で、前記電極リードが電池セルケースの外部に突出しており、
前記第１樹脂層の熱融着により電池セルケースの外周面が密封されており、
前記第１樹脂層と同じ素材のフィルム部材が電極タブと電極リードの接続部位を覆っていることを特徴とする、パウチ型電池セル。
【請求項２】
前記ラミネートシートは、前記金属層と第１樹脂層以外に、外部被覆層としての第２樹脂層をさらに含んでいることを特徴とする、請求項１に記載のパウチ型電池セル。
【請求項３】
前記第１樹脂層の素材はポリプロピレン系樹脂であることを特徴とする、請求項１に記載のパウチ型電池セル。
【請求項４】
前記ポリプロピレン系樹脂は無延伸ポリプロピレン（ＣＰＰ）を含むことを特徴とする、請求項３に記載のパウチ型電池セル。
【請求項５】
前記フィルム部材は、電極タブと電極リードの接続部位のそれぞれに対して２つの接着フィルムからなっており、前記２つの接着フィルムは、接続部位を覆いながら互いに付着されていることを特徴とする、請求項１に記載のパウチ型電池セル。
【請求項６】
前記フィルム部材は、電極タブと電極リードの接続部位のそれぞれに対して１つの接着フィルムからなっており、前記１つの接着フィルムが接続部位を覆うように付着されていることを特徴とする、請求項１に記載のパウチ型電池セル。
【請求項７】
前記フィルム部材の幅は、少なくとも電極タブと電極リードの結合部位の幅以上の大きさに形成されていることを特徴とする、請求項１に記載のパウチ型電池セル。
【請求項８】
前記フィルム部材の幅は、電極タブと電極リードの結合部位の幅に対して１００％〜２００％の大きさを有することを特徴とする、請求項７に記載のパウチ型電池セル。
【請求項９】
前記電極リードと電池セルケースのシーリング部との間には絶縁フィルムが介在しており、前記フィルム部材は、長手方向（高さ方向）の上端が絶縁フィルムの一部を覆うように付着されていることを特徴とする、請求項１に記載のパウチ型電池セル。
【請求項１０】
前記電極リードと電池セルケースのシーリング部との間には絶縁フィルムが介在しており、前記フィルム部材は、長手方向（高さ方向）の上端が絶縁フィルムの全部を覆うように付着されていることを特徴とする、請求項１に記載のパウチ型電池セル。
【請求項１１】
前記電極リードと電池セルケースのシーリング部との間には絶縁フィルムが介在しており、前記フィルム部材は、長手方向（高さ方向）の上端が絶縁フィルムの下端と接するように付着されていることを特徴とする、請求項１に記載のパウチ型電池セル。
【請求項１２】
前記フィルム部材の厚さは４０〜６０μｍであることを特徴とする、請求項１に記載のパウチ型電池セル。
【請求項１３】
前記フィルム部材は、第１樹脂層と同じ素材の基材上に接着剤層が付加されている構造を有することを特徴とする、請求項１に記載のパウチ型電池セル。
【請求項１４】
前記接着剤層はアクリル系樹脂で構成されていることを特徴とする、請求項１３に記載のパウチ型電池セル。
【請求項１５】
前記基材の厚さは３５〜４５μｍであり、前記接着剤層の厚さは５〜１５μｍであることを特徴とする、請求項１３に記載のパウチ型電池セル。
【請求項１６】
前記パウチ型電池セルはリチウム二次電池であることを特徴とする、請求項１に記載のパウチ型電池セル。
【請求項１７】
請求項１に記載の電池セルを１つ以上含むことを特徴とする、電池パック。
【請求項１８】
請求項１７に記載の電池パックを含むことを特徴とする、デバイス。
【発明の詳細な説明】
【技術分野】
【０００１】
本発明は、電極リード−電極タブ結合部保護用フィルム部材を含むパウチ型電池セルに関する。
【背景技術】
【０００２】
モバイル機器に対する技術開発及び需要の増加に伴い、二次電池の需要も急増しており、その中でも、エネルギー密度と作動電圧が高くて、保存と寿命特性に優れたリチウム二次電池は、各種モバイル機器はもとより、様々な電子製品のエネルギー源として広く用いられている。
【０００３】
リチウム二次電池は、その外形によって円筒形電池、角形電池、パウチ型電池などに大別され、電解液の形態によってリチウムイオン電池、リチウムイオンポリマー電池、リチウムポリマー電池などに分類されることもある。
【０００４】
モバイル機器の小型化に対する最近の傾向により、厚さの薄い角形電池、パウチ型電池に対する需要が増加しており、特に、形状の変形が容易であり、製造コストが低く、重量が小さいパウチ型電池への関心が高い実情である。
【０００５】
一般に、パウチ型電池は、樹脂層と金属層を含んで構成されたラミネートシートのパウチ型ケースの内部に電極組立体と電解質が密封されている電池のことをいう。電池ケースに収納される電極組立体は、ジェリーロール型（巻き取り型）、スタック型（積層型）、または複合型（スタック／フォールディング）の構造からなっていてもよい。
【０００６】
図１には、スタック型電極組立体を含んでいるパウチ型電池セルの構造が模式的に示されている。
【０００７】
図１を参照すると、パウチ型電池セル１０は、パウチ型電池ケース２０の内部に、正極、負極及びこれらの間に配置される分離膜からなる電極組立体３０が、その正極及び負極タブ３１，３２と電気的に接続される２つの電極リード４０，４１が外部に露出するように密封されている構造からなることができる。
【０００８】
電池ケース２０は、電極組立体３０が装着され得る凹状の収納部２３を含むケース本体２１と、そのような本体２１に一体に連結されているカバー２２とからなることができる。
【０００９】
図示されてはいないが、電池ケースは、電極組立体が装着され得る凹状の収納部を含む下部ケースと、そのような下部ケースの蓋であって、電極組立体を密封する上部ケースとからなっていてもよい。
【００１０】
電池ケース２０は、ラミネートシートからなっており、物質の貫通を防止する遮断性金属層２０ａ、及び密封のための内側樹脂層２０ｂで構成され得る。
【００１１】
スタック型電極組立体３０は、多数の正極タブ３１及び多数の負極タブ３２がそれぞれ融着されて電極リード４０，４１に共に結合され得る。また、ケース本体２１の上端部２４とカバー２２の上端部とが熱融着機（図示せず）によって熱融着されるとき、そのような熱融着機と電極リード４０，４１との間にショートが発生することを防止し、電極リード４０，４１と電池ケース２０との密封性を確保するために、電極リード４０，４１の上下面に絶縁フィルム５０を付着することができる。
【００１２】
しかし、このようなパウチ型電池セルは、缶型電池などに比べて外部衝撃に弱く、電極タブ及び電極リードが結合された部位に外力が印加されたり、電池ケースを構成するラミネートシートの内側樹脂層の厚さが小さい場合に、絶縁抵抗が小さくなったり、ショートが発生したりするという問題がある。また、電極リードに絶縁フィルムを付着するとしても、この部位に漏水が発生するという欠点がある。
【００１３】
一方、一部の先行技術には、電極リード及び電極タブが結合された部位を保護するために保護テープを付着した構造の電池セルに関する技術が開示されているが、このような構造は、保護テープが付着された部位が、電池ケースが熱融着によりシールされるとき、前記保護テープが熱によって干渉が発生して変形又は破損することによって、絶縁不良が発生するという問題を有している。
【発明の概要】
【発明が解決しようとする課題】
【００１４】
本発明は、上記のような従来技術の問題点及び過去から要請されてきた技術的課題を解決することを目的とする。
【００１５】
本発明の目的は、電池セルの電極リード−電極タブ接続部位をフィルム部材で覆う構造を用いることによって、絶縁抵抗の減少、漏水、高温によるスウェリングなどの問題を解決して安全性を向上させる構造のパウチ型電池セルを提供することである。
【課題を解決するための手段】
【００１６】
このような目的を達成するための本発明に係るパウチ型電池セルは、
物質遮断性の金属層と熱融着性の第１樹脂層を含むラミネートシートの電池セルケースに電極組立体が内蔵されており、
前記電極組立体の電極タブが電極端子としての電極リードに接続された状態で、前記電極リードが電池セルケースの外部に突出しており、
前記第１樹脂層の熱融着により電池セルケースの外周面が密封されており、
前記第１樹脂層と同じ素材のフィルム部材が電極タブと電極リードの接続部位を覆っている構造を含むことができる。
【００１７】
すなわち、本発明に係るパウチ型電池セルは、電極タブと電極リードの接続部位にフィルム部材を覆う構造であって、前記接続部位を保護する構造を含んでいる。このとき、前記フィルム部材を前記ラミネートシートの熱融着性の第１樹脂層の素材と同じ素材で形成させることによって、電池セルケースの熱融着時に干渉が生じても、絶縁、漏水、高温によるスウェリングなどの問題が発生することを防止する構造となっている。
【００１８】
前記ラミネートシートは、前記金属層と第１樹脂層以外にも、外部被覆層としての第２樹脂層をさらに含む構造で形成することができる。前記第２樹脂層は、前記金属層を外部から絶縁させ、耐久性又は剛性に優れた素材を使用することによって外部から電池ケースを保護する構造をなすことができる。
【００１９】
一具体例において、前記第１樹脂層の素材は、電気絶縁性素材であり、電池の作動に影響を与えず、熱融着可能な素材であれば特に限定されず、例えば、剛性、耐繰り返し疲労特性、及び耐化学性に優れたポリプロピレン系樹脂層であってもよい。
【００２０】
具体的に、前記第１樹脂層は、ポリプロピレン系樹脂の中でも、熱融着性に優れた無延伸ポリプロピレン（ＣＰＰ）を含む構造で構成することができる。したがって、前記フィルム部材も無延伸ポリプロピレンを含む構造で形成することができる。
【００２１】
前記フィルム部材は、電極タブと電極リードの接続部位を覆う構造であり、その形状が限定されず、一例として、電極タブと電極リードの接続部位のそれぞれに対して２つの接着フィルムからなっており、前記２つの接着フィルムは、接続部位を覆いながら互いに付着されている構造からなることができる。
【００２２】
他の例として、前記フィルム部材は、電極タブと電極リードの接続部位のそれぞれに対して１つの接着フィルムからなっており、前記１つの接着フィルムが接続部位を覆うように付着されている構造からなってもよい。
【００２３】
前記フィルム部材の大きさは、電極タブと電極リードの結合部位を覆う大きさであり、前記フィルム部材の幅は、少なくとも電極タブと電極リードの結合部位の幅以上の大きさに形成され得る。
【００２４】
具体的に、前記フィルム部材の幅は、電極タブと電極リードの結合部位の幅に対して１００％〜２００％の大きさを有することができる。すなわち、前記フィルム部材の幅は、電極タブと電極リードの結合部位の幅に対して１００％〜２００％の範囲で形成され得、前記電極タブと電極リードの結合部位を完全に覆う構造で形成され得る。
【００２５】
このようなフィルム部材は、その長手方向（高さ方向）の下端が電極タブと電極リードの結合部位の下端と一致するか、または前記結合部位の下端よりも下向きに延びた構造で結合部位に付着されてもよい。また、前記フィルム部材は、前記電極タブと電極リードの結合部位を覆いながら、フィルム部材の長手方向（高さ方向）の上端は前記電極タブと電極リードの結合部位の上端よりも上部に位置した構造で形成されてもよい。このような構造の具体的な例を挙げると、次の通りである。
【００２６】
第一の例において、前記電極リードと電池セルケースのシーリング部との間には絶縁フィルムが介在しており、前記フィルム部材は、長手方向（高さ方向）の上端が絶縁フィルムの一部を覆うように付着されている構造で形成され得る。
【００２７】
第二の例において、前記電極リードと電池セルケースのシーリング部との間には絶縁フィルムが介在しており、前記フィルム部材は、長手方向（高さ方向）の上端が絶縁フィルムの全部を覆うように付着されている構造で形成され得る。
【００２８】
第三の例において、前記電極リードと電池セルケースのシーリング部との間には絶縁フィルムが介在しており、前記フィルム部材は、長手方向（高さ方向）の上端が絶縁フィルムの下端と接するように付着されている構造で形成され得る。
【００２９】
前記フィルム部材の厚さは４０〜６０μｍで形成されてもよい。前記フィルム部材の厚さが厚すぎると、熱収縮時にテンションが大きく作用して付着強度を弱化させることがあり、逆に、厚さが薄すぎると、物性が小さくなるため好ましくない。
【００３０】
一方、前記フィルム部材は、接着性を向上させるために、第１樹脂層と同じ素材の基材上に接着剤層が付加されてもよい。このような接着剤層は、電池セルの内部の電解液と反応しないながらも接着性を提供する素材であれば特に限定されず、例えば、アクリル系樹脂で構成されてもよい。
【００３１】
前記基材と接着剤層は、基材の物性及び接着剤層による接着性能を効果的に発揮するための適切な厚さに形成することができる。具体的な例として、上記で言及したように、前記フィルム部材の厚さは４０〜６０μｍで形成されてもよく、このとき、前記基材の厚さは３５〜４５μｍで形成されてもよく、前記接着剤層の厚さは５〜１５μｍで形成されてもよい。
【００３２】
前記電池セルは、リチウムイオン電池またはリチウムイオンポリマー電池セルであってもよいが、これらのみに限定されないことは勿論である。
【００３３】
本発明はまた、前記電池セルを１つ以上含むことを特徴とする電池パックを提供する。具体的に、前記電池パックは、前記電池セルが一つ装着されている構造、または前記電池セルが多数個直列及び／又は並列に接続されている高出力または大容量の構造で形成されてもよい。
【００３４】
本発明はまた、前記電池パックを含むデバイスを提供する。前記デバイスは、携帯電話、携帯用コンピュータ、スマートフォン、タブレットＰＣ、スマートパッド、ネットブック、ＬＥＶ（Ｌｉｇｈｔ  Ｅｌｅｃｔｒｏｎｉｃ  Ｖｅｈｉｃｌｅ）、電気自動車、ハイブリッド電気自動車、プラグインハイブリッド電気自動車、及び電力貯蔵装置などから選択されるものであってもよい。
【図面の簡単な説明】
【００３５】
【図１】従来のパウチ型電池セルの分解斜視図である。
【図２】本発明の一実施例に係る電極タブ−電極リード結合部にフィルム部材が付加された構造を示す模式図である。
【図３】図２のＡ部位の拡大図である。
【図４】図２の電池セルケースの断面図及びフィルム部材の断面図である。
【図５】本発明の他の実施例に係る電極タブ−電極リード結合部にフィルム部材が付加された構造を示す模式図である。
【図６】本発明の他の実施例に係る電極タブ−電極リード結合部にフィルム部材が付加された構造を示す模式図である。
【図７】本発明の他の実施例に係る電極タブ−電極リード結合部にフィルム部材が付加された構造を示す模式図である。
【発明を実施するための形態】
【００３６】
以下では、本発明の実施例に係る図面を参照して説明するが、これは、本発明のより容易な理解のためのものであり、本発明の範疇がそれによって限定されるものではない。
【００３７】
以下、図面では、説明の便宜のため、電池セルケースの内部の電極組立体、及び電極タブと電極リードの結合部位を中心に示した。
【００３８】
図２には、本発明の一実施例に係る電極タブ−電極リード結合部にフィルム部材が付加された構造の模式図が示されており、図３には、図２のＡ部位の拡大図が示されており、図４には、図２の電池セルケースの断面図及びフィルム部材の断面図が示されている。
【００３９】
これら図面を参照すると、パウチ型電池セル１００は、電池セルケース１２０に電極組立体１１０が内蔵されている構造となっている。ラミネートシートの電池セルケース１２０は、金属層１２７と第１樹脂層１２８を含んでおり、第１樹脂層１２８の熱融着により電池セルケース１２０の外周面が密封される構造となっている。
【００４０】
電極組立体１１０の電極タブ１１２は電極リード１３０に接続された状態で、電極リード１３０が電池セルケース１２０の外部に突出しており、電極タブ１１２と電極リード１３０の接続部位はフィルム部材１４０が覆う構造で付着されているので、電極タブ１１２と電極リード１３０の接続部位は、フィルム部材１４０によって保護される構造となっている。
【００４１】
ラミネートシートは、物質遮断性の金属層１２７、熱融着性の第１樹脂層１２８、及び外部被覆層としての第２樹脂層１２９を含む構造で構成されている。第２樹脂層１２９は、金属層１２７を外部から絶縁させ、耐久性又は剛性に優れた素材で形成されて外部から電池セルケース１２０を保護する構造となっている。
【００４２】
第１樹脂層１２８は、耐繰り返し疲労特性、及び耐化学性に優れたポリプロピレン系樹脂層であって、無延伸ポリプロピレン（ＣＰＰ）を含む構造で構成されている。
【００４３】
フィルム部材１４０は、無延伸ポリプロピレン層を含んでおり、電極タブ１１２と電極リード１３０の接続部位Ｓを覆う大きさに形成されており、電極タブ１１２と電極リード１３０の接続部位Ｓにそれぞれ付着されている。このようなフィルム部材１４０は、電極タブ１１２と電極リード１３０の接続部位Ｓのそれぞれに対して２つの接着フィルムからなっており、２つの接着フィルムは、接続部位Ｓを覆いながら互いに付着されている。
【００４４】
また、フィルム部材１４０は、接着性を向上させるために、無延伸ポリプロピレン層１４２上にアクリル系樹脂からなる接着剤層１４４が形成されている。このようなフィルム部材１４０の厚さ（Ｗ）は５０μｍの大きさを有し、無延伸ポリプロピレン層１４２の厚さは４０μｍ、アクリル系接着層１４４の厚さは１０μｍの大きさに形成されている。
【００４５】
図５及び図７には、本発明の他の実施例に係る電極タブ−電極リード結合部にフィルム部材が付加された構造を示す模式図が示されている。
【００４６】
これら図面を参照すると、フィルム部材は、その長手方向（高さ方向）の下端が電極タブと電極リードの結合部位の下端を覆うように付着されており、フィルム部材の長手方向（高さ方向）の上端は電極タブと電極リードの結合部位の上端よりも上部に位置した構造で形成されている。
【００４７】
まず、図５を参照すると、電極リード１３０と電池セルケースのシーリング部との間に位置する絶縁フィルム１５０が介在しており、フィルム部材２４０は、長手方向（高さ方向）の上端が絶縁フィルム１５０の一部を覆うように付着されている構造で形成されている。
【００４８】
図６を参照すると、電極リード１３０と電池セルケースのシーリング部との間に位置する絶縁フィルム１５０が介在しており、前記フィルム部材３４０は、長手方向（高さ方向）の上端が絶縁フィルム１５０の下端と接するように付着されている構造で形成されている。
【００４９】
図７を参照すると、電極リード１３０と電池セルケースのシーリング部との間に位置する絶縁フィルム１５０が介在しており、前記フィルム部材４４０は、長手方向（高さ方向）の上端が絶縁フィルム１５０の全部を覆うように付着されている構造で形成されている。
【００５０】
＜実験例１＞
【００５１】
フィルム部材の素材として無延伸ポリプロピレン（ＣＰＰ）を使用し、図３のように電極タブ−電極リード接続部位Ｓを覆うようにフィルム部材を付着した構造（付着位置ａ）、図５のように電極タブ−電極リード接続部位Ｓを覆うようにフィルム部材を付着した構造（付着位置ｂ）、図６のように電極タブ−電極リード接続部位Ｓを覆うようにフィルム部材を付着した構造（付着位置ｃ）、及び図７のように電極タブ−電極リード接続部位Ｓを覆うようにフィルム部材を付着した構造（付着位置ｄ）をそれぞれ製造し、それぞれ絶縁抵抗、漏水、及び高温高湿環境でのスウェリングテストを行った。
【００５２】
＜比較例１＞
【００５３】
フィルム部材の素材としてポリイミド（ＰＩ）を使用し、図３のように電極タブ−電極リード接続部位Ｓを覆うようにフィルム部材を付着した構造（付着位置ａ）、図５のように電極タブ−電極リード接続部位Ｓを覆うようにフィルム部材を付着した構造（付着位置ｂ）、図６のように電極タブ−電極リード接続部位Ｓを覆うようにフィルム部材を付着した構造（付着位置ｃ）、及び図７のように電極タブ−電極リード接続部位Ｓを覆うようにフィルム部材を付着した構造（付着位置ｄ）をそれぞれ製造し、それぞれ絶縁抵抗、漏水、及び高温高湿環境でのスウェリングテストを行った。
【００５４】
＜比較例２＞
【００５５】
フィルム部材の素材として２軸延伸ポリプロピレン（ＯＰＰ）を使用し、図３のように電極タブ−電極リード接続部位Ｓを覆うようにフィルム部材を付着した構造（付着位置ａ）、図５のように電極タブ−電極リード接続部位Ｓを覆うようにフィルム部材を付着した構造（付着位置ｂ）、図６のように電極タブ−電極リード接続部位Ｓを覆うようにフィルム部材を付着した構造（付着位置ｃ）、及び図７のように電極タブ−電極リード接続部位Ｓを覆うようにフィルム部材を付着した構造（付着位置ｄ）をそれぞれ製造し、それぞれ絶縁抵抗、漏水、及び高温高湿環境でのスウェリングテストを行った。
【００５６】
そして、実験例１、比較例１、及び比較例２の実験結果を、下記表１に示す。
【００５７】
【表１】
2016529683.tif 000003
【００５８】
表１を参照すると、フィルム部材としてポリイミド及び２軸延伸ポリプロピレンを使用した構造は、絶縁フィルムを一部または全部覆うように付着させた場合、絶縁抵抗、漏水、スウェリングテストの結果、危険または不良であることが確認された。
【００５９】
また、フィルム部材としてポリイミドを使用した場合、フィルム部材の上端が絶縁フィルムの下端と接するように付着させた場合、絶縁抵抗のテストの結果、不良であることが確認された。
【００６０】
しかし、フィルム部材として無延伸ポリプロピレンを使用した構造の場合、付着される位置及び範囲に関係なく、絶縁抵抗、漏水、スウェリングテストにおいて良好判定であることが確認された。
【００６１】
本発明の属する分野における通常の知識を有する者であれば、上記内容に基づいて本発明の範疇内で様々な応用及び変形を行うことが可能であろう。
【産業上の利用可能性】
【００６２】
以上で説明したように、本発明に係るパウチ型電池セルは、電極タブと電極リードの接続部位にフィルム部材を覆う構造を含むことによって、前記フィルム部材によって接続部位を保護する効果を提供する。
【００６３】
また、本発明に係るパウチ型電池セルは、前記フィルム部材を前記ラミネートシートの熱融着性の第１樹脂層の素材と同じ素材で形成させることによって、電池セルケースの熱融着時に干渉が生じても、絶縁、漏水、高温によるスウェリングなどの問題が発生することを防止し、安全性を向上させる効果を提供する。
【符号の説明】
【００６４】
１００    パウチ型電池セル
１１０    電極組立体
１１２    電極タブ
１２０    電池セルケース
１２７    金属層
１２８    第１樹脂層
１３０    電極リード
１４０    フィルム部材
【図１】
2016529683.tif 000004
【図２】
2016529683.tif 000005
【図３】
2016529683.tif 000006
【図４】
2016529683.tif 000007
【図５】
2016529683.tif 000008
【図６】
2016529683.tif 000009
【図７】
2016529683.tif 000010
【国際調査報告】
2016529683.tif 000011
2016529683.tif 000012
2016529683.tif 000013
2016529683.tif 000014